(57)【要約】      （修正有）【課題】シート状の包装具により商品を包装しても商品が側部に露出することがない包装具を提供する。【解決手段】紙等の折曲可能な資材からなる矩形状のシート２と、このシートの一面に少くとも長手方向両側部が接着された筒状フィルム３とで構成し、シート２の少くとも一面に適宜な図柄を表示するとともに、筒状フィルム３の長手方向両側部を内方へ折り込んでガゼット４，４を形成した。【選択図】図１
0003137577.tif 000002
【実用新案登録請求の範囲】
【請求項１】
紙等の折曲可能な資材からなる矩形状のシートと、このシートの一面に少くとも長手方向両側部が接着された筒状フィルムとで構成され、前記シートの少くとも一面に適宜な図柄が表示されているとともに、前記筒状フィルムの長手方向両側部が内方へ折り込まれてガゼットが形成されていることを特徴とする包装具。
【請求項２】
前記シートの表裏両面に図柄が印刷により表示されている請求項１記載の包装具。
【請求項３】
前記シートがクラフト紙で構成されている請求項１または２記載の包装具。
【請求項４】
前記シートは、片艶晒しクラフト１００ｇ／ｍ２が用いられ、その両面にポリプロピレンによるラミネートが施されている請求項３記載の包装具。
【請求項５】
前記筒状フィルムは、ＯＰＰ３０〜５０μｍ（二延伸ポリプロピレン）で構成されている請求項１〜４のいずれか１項記載の包装具。
【請求項６】
前記シートに印刷される図柄が竹皮模様である請求項１〜５のいずれか１項記載の包装具。
【請求項７】
前記図柄がグラビア印刷により印刷されている請求項１〜６のいずれか１項記載の包装具。
【請求項８】
前記筒状フィルムの一端から所要距離隔てた箇所を幅方向に接着して底部が構成され、この底部を境として筒状フィルムの両端側がそれぞれ袋部とされている請求項１〜７のいずれか１項記載の包装具。
【請求項９】
前記筒状フィルム内に商品を装入し、シートの両端をその上に折り重ねて紐、ゴムバンド等により緊縛することにより包装体として販売に供するようになされている請求項１〜７のいずれか１項記載の包装具。
【請求項１０】
前記底部を境として一端側を深い袋部に、他端側を浅い袋部に形成し、深い袋部内にメインの商品を、浅い袋部にメインの商品に付属するサブの商品を装入して浅い袋部側をメインの商品上に折り重ね、その上に深い袋部側の余剰部分を折り重ねて紐、ゴムバンド等により緊縛することにより包装体として販売に供するようになされている請求項８記載の包装具。
【考案の詳細な説明】
【技術分野】
【０００１】
本考案は漬物や佃煮、その他の食品類を包んで販売に供するための包装具に関する。
【背景技術】
【０００２】
観光地の土産品、例えば漬物、かまぼこ、はんぺん、佃煮などを販売する際の包装は、天然の竹皮に代わり紙に竹皮模様等を印刷した矩形状の包装紙に商品を載せて両端を商品上に折り重ね、紐やゴムバンド等により緊縛して包装し、販売に供するようになされている。
【０００３】
しかして上記の包装形態では、商品を包んだあと側部が開放されているので虫や塵埃が入りやすく、不衛生であるという問題があった。
【０００４】
なかには包装紙の長手方向両側部に屈曲自在な針金を添わせて包装紙と一体化させ、前述と同様にして商品を包装したとき針金の変形により側部が大きく開くことがないよう保形性を与えるようになされたものがある。
【０００５】
しかるにこれによると、包装時に針金の端部が手指に刺るなどの危険性をはらんでいるばかりでなく、包装後側部を完全に閉じることはできず、やはり虫や塵埃等の侵入を防ぐには至らない。
【０００６】
さらに使用後廃棄するとき、紙の部分とこれに一体化されている針金（金属）とを分離させることが難しく、分別作業が容易でないという問題がある。
【特許文献１】特開２０００−２９７２２１号公報
【考案の開示】
【考案が解決しようとする課題】
【０００７】
本考案は、竹皮状のシートで包んで販売する際に側部に商品が露出することがなく、包装形態を保って密封性を確保することができる包装具を提供することにある。また手指を傷めることがなく、かつ商品の包装を迅速に行うことができ、包装後の見栄えを一層良くすることができる包装具を提供するにある。
【課題を解決するための手段】
【０００８】
上記課題を解決する手段として本考案は、紙等の折曲可能な資材からなる矩形状のシートと、このシートの一面に少くとも長手方向両側部が接着された筒状のフィルムとで構成し、前記シートの少くとも一面に適宜な図柄を表示するとともに、前記筒状フィルムの長手方向両側部を内方へ折り込んでガゼットを形成したことにある。
【０００９】
上記シートに施す図柄は、包装後表に現われる面にも施すことが好ましい。またシートはクラフト紙を用いることが望ましい。
【００１０】
一方、前記筒状フィルムの一端から所要距離隔てた箇所を幅方向に接着して底部を構成し、この底部を境として筒状フィルムの両端側をそれぞれ袋部に形成した構成とすることが商品の包装を容易とする点で好ましい。
【００１１】
このとき底部を境として一端側を深い袋部に、他端側を浅い袋部に形成して、メイン商品とサブ商品とを区別して装入し、一緒に包装するようにすることができる。
【００１２】
前記図柄はグラビア印刷により竹皮模様とすることが自然な外観を提示することができる。
【考案の効果】
【００１３】
本考案によれば、矩形状のシートの一面に取り付けられている筒状フィルムの一端から商品を装入してシートの両端を折り重ね、紐やゴムバンド等で緊縛することにより包装体として販売することができるので、商品の包装を迅速にでき、包装後は両側部に商品が露出することがなく、虫の侵入や塵埃が付着することを完全に防ぐことができ、衛生面で大きな効果を発揮させることができる。
【００１４】
特に筒状フィルムはその長手方向両側部にガゼットが形成されているので、ボリュームのある商品であっても楽に装入することができ、側部からはみ出して不体裁な外観になることがなく、整然とした形態の包装体とすることができる。
【００１５】
この場合、筒状フィルムの長手方向一端から所要距離隔てた箇所の幅方向に接着（シール）して底部を構成すれば、一端側からメインの商品を装入し、他端側からこの商品に付属する小物商品を装入してそれぞれ両端側を折り重ねて包装すれば両商品を分別して包装することができ、包装具としての利便性を著しく高めることができる。
【００１６】
前記シートとして、クラフト紙の両面にラミネートを施せば、シートの腰が強くなり、包装後の保形性を高め、商品価値の向上に寄与することができるうえ、筒状フィルムをヒートシールにより接着することができる。
【００１７】
またシートの両面に竹皮模様の図柄を印刷により表示すれば、包装後どこから見ても竹皮に見え、包装体としての質感を一段と高めることができる。
【考案を実施するための最良の形態】
【００１８】
図１は本考案による包装具１Ａの未使用時の斜視図を示すもので、この包装具１Ａは長方形を有するシート２と、このシート２の一面に取り付けられ該シート２と略等長のプラスチック製筒状フィルム３とで構成されており、この筒状フィルム３は長手方向両側部が内方へ折り込まれてガゼット４，４が形成されている。
【００１９】
前記シート２はクラフト紙が用いられ、好ましくはＰＰ２０μ／片艶晒しクラフト１００ｇ／ｍ２／ＰＰ２０μのラミネートクラフト紙が用いられる。
【００２０】
また上記シート２は、その少なくとも一面に図柄５（図３示）が印刷により表示されている。この図柄５は、包装対象とする商品によって選択されるが、観光地の土産品、なかでも「かまぼこ」、「はんぺん」、「佃煮」などの包装用としては一般性のある竹皮模様が印刷される。また図柄５はシート２の両面に施せば、包装後何れの角度からも竹皮模様が見えるので好ましい。そして上記図柄５の印刷は通常のグラビア印刷によるのがよい。
【００２１】
このようにクラフト紙に図柄５をグラビア印刷し、その表面にラミネートを施せば、シート２としての質感を高め、かつ腰の強い包装具となり、商品価値を増すことができる。
【００２２】
そして上記シート２の大きさは、一般的には長さ４００ｍｍ程度、幅１５０ｍｍ程度とされる。
【００２３】
一方、前記筒状フィルム３は、例えばＯＰＰ（二延伸ポリプロピレン）、厚さ３０〜５０μｍ、好ましくは４０μｍ程度の材料が用いられ、両側に形成されるガゼット４，４は折り込み幅３０ｍｍ程度に折り込まれている。
【００２４】
上記筒状フィルム３とシート２との接合は、図２（Ｂ）に図２（Ａ）のＢ部の拡大図を示すように、例えばガゼット４の端部を延長した形態としてシート２上に重ね、この延長部２ａとラミネートされているシート２とを溶着することにより一体化させるようにすることができる。しかしこれ以外に筒状フィルム３を筒のままシート２に要点を溶着して一体化させるなど適宜な手段を採用することができる。
【００２５】
したがって商品を包装するときは、図３、図４に示すように筒状フィルム３の一端から長手方向略中央位置に商品６を装入し、次いで包装具１Ａの両端部を商品６の上に折り重ね、その折り重ねた位置で紐７、ゴムバンド等により緊縛することで図３に示すような包装体とすることができる。
【００２６】
この場合、商品６の体積が大きいものであっても、筒状フィルム３の両側のガゼット４が伸展することによりそれを許容して包装することができる。
【００２７】
また包装具１Ａの両端を折り重ねることにより商品６を密閉することができ、側部も完全に閉鎖されるので虫や塵埃が侵入することがなく、極めて衛生的な包装体となる。
【００２８】
図５、図６は本考案の他の実施形態を示すもので、この包装具１Ｂは筒状フィルム３の一端から所要距離隔てた位置を幅方向に溶着して底部３が構成されており、この底部８を境としてその両側に深い袋部９１と浅い袋部９２が形成されている。
【００２９】
上記の包装具１Ａの各部の寸法の一例を示すと、図５において全長Ｌ１が３００ｍｍ、Ｌ２が１００ｍｍ、Ｌ３が３０ｍｍ、Ｌ４が９０ｍｍ程度とされる。これらの寸法は包装対象となる商品の大きさに応じ適宜設定することができる。
【００３０】
この実施形態におけるシート２の構成、筒状フィルム３の材質などに関しては図１に示した実施形態と同様である。
【００３１】
したがってこの包装具１Ｂにより商品を包装するときは、図６（Ａ）に示すように筒状フィルム３の深い方の袋部９１にメインの商品６１を装入し、浅い方の袋部９２に上記商品６１に付属する商品６２を装入する。すなわちメインの商品６１が「たれ」を必要とする商品であるときにはサブの商品６２として「たれ」を装入する。
【００３２】
商品装入後、図６（Ｂ）のようにサブ商品６２側の端部を商品６１上に折り重ね、次いでその上に他端側の余剰部分２ａを折り重ね、その重なり部位を図６（Ｃ）に示すように紐７、ゴムバンド等により緊縛して包装体とする。
【００３３】
これによりメインの商品６１とサブの商品６２とを区別けして一緒に包装することができ、サブ商品６２が仮に小さいものであっても脱落するおそれがなく確実に包装することができる。
【図面の簡単な説明】
【００３４】
【図１】本考案による包装具の一実施形態を示す斜視図。
【図２】（Ａ）は図１のＡ−Ａ断面図、（Ｂ）は（Ａ）のＢ部の拡大図。
【図３】商品を包装した状態を示す斜視図。
【図４】図３のＣ−Ｃ断面図。
【図５】本考案による包装具の他の実施形態を示す平面図。
【図６】（Ａ）〜（Ｃ）は図５の包装具による商品包装過程を示す断面図。
【符号の説明】
【００３５】
１Ａ，１Ｂ  本考案による包装具
２  シート
３  筒状フィルム
４  ガゼット
５  図柄
６（６１、６２）  商品
７  紐
８  底部
９１、９２  袋部
【図１】
0003137577.tif 000003
【図２】
0003137577.tif 000004
【図３】
0003137577.tif 000005
【図４】
0003137577.tif 000006
【図５】
0003137577.tif 000007
【図６】
0003137577.tif 000008